(57)【要約】【課題】  ディフューザの陸揚げを容易かつ短時間に行う。【解決手段】  連続する複数のディフューザ管６１をグループ管７とし、このグループ管７の端部を隣接するディフューザ管６１から切り離し、グループ管７の両端部を密閉蓋６１３で塞ぎ、グループ管７内に空気を供給してグループ管７に浮力を付与した状態で、グループ管７を海面Ｗまで押し揚げる。複数のディフューザ管６１をまとめて海面Ｗまで揚げるため、陸揚げに要する労力と時間を著しく軽減できる。【選択図】  図９
2010126895.tif 000002
【特許請求の範囲】
【請求項１】
複数のディフューザ管の端部同士を接続して構成され水中に設置されるディフューザを陸揚げするディフューザの陸揚げ方法であって、
連続する複数のディフューザ管をグループ管とし、このグループ管の端部を隣接するディフューザ管から切り離し、
前記グループ管の両端部を塞ぎ、前記グループ管内に気体を供給して前記グループ管に浮力を付与した状態で、前記グループ管を水面まで揚げることを特徴とするディフューザの陸揚げ方法。
【請求項２】
前記ディフューザ管に設けられ、前記ディフューザ管の管壁を貫通するノズルから前記気体を供給することを特徴とする請求項１に記載のディフューザの陸揚げ方法。
【発明の詳細な説明】
【技術分野】
【０００１】
この発明は、水中に設置されているディフューザを点検などのために陸揚げするディフューザの陸揚げ方法に関する。
【背景技術】
【０００２】
発電所や製鉄プラント、化学プラントなどでは、海から海水を取水して冷却水や加熱水として利用している。しかし、取水口の近くでクラゲなどが大量に発生すると、取水口から海水と一緒にクラゲなどを吸込んでしまい、発電所や製鉄プラントなどの稼働に支障をきたす場合がある。また、取水配管の内壁に貝類などが付着した場合にも、海水の取水に支障をきたすこととなる。このため、海中に塩素（次亜塩素酸ナトリウム等）などを注入して海中の海洋生物を殺傷する技術が知られている（例えば、特許文献１参照。）。
【０００３】
この技術は、例えば、複数のディフューザ管を環状に接続したディフューザを海中に設置し、ディフューザに塩素を送り込む。そして、ディフューザの各ディフューザ管に設けられたノズルから塩素を海中に注入するものである。このようなディフューザは定期的に陸揚げして点検や清掃などを行う必要があり、この陸揚げは次のようにして行っていた。すなわち、潜水夫が海中に潜り、各ディフューザ管同士の接続を解除し、各ディフューザ管を１本ずつ海面まで揚げ、船に載せて陸揚げしていた。
【特許文献１】特開２００４−３３２２３５号公報
【発明の開示】
【発明が解決しようとする課題】
【０００４】
ところで、ディフューザ管の１本あたりの長さは数ｍであり、重量は数十ｋｇに及ぶ。また、１体のディフューザは数十本のディフューザ管から構成される。このようなディフューザに対し、従来の陸揚げ方法では、長く重いディフューザ管を１本ずつばらして陸揚げしなければならず、しかも、このような作業を数十回繰り返して行わなければならなかった。このため、多大な労力と時間とを要し、また潜水夫の人工数がかさむこととなる。
【０００５】
そこでこの発明は、ディフューザの陸揚げを容易かつ短時間に行うことが可能なディフューザの陸揚げ方法を提供することを目的とする。
【課題を解決するための手段】
【０００６】
上記目的を達成するために請求項１に記載の発明は、複数のディフューザ管の端部同士を接続して構成され水中に設置されるディフューザを陸揚げするディフューザの陸揚げ方法であって、連続する複数のディフューザ管をグループ管とし、このグループ管の端部を隣接するディフューザ管から切り離し、前記グループ管の両端部を塞ぎ、前記グループ管内に気体を供給して前記グループ管に浮力を付与した状態で、前記グループ管を水面まで揚げることを特徴とする。
【０００７】
請求項２に記載の発明は、請求項１に記載のディフューザの陸揚げ方法において、前記ディフューザ管に設けられ、前記ディフューザ管の管壁を貫通するノズルから前記気体を供給することを特徴とする。
【発明の効果】
【０００８】
請求項１に記載の発明によれば、複数のディフューザ管をグループ管とし、このグループ管に浮力を付与して水面まで揚げるため、容易かつ短時間にディフューザの陸揚げを行うことが可能となる。すなわち、グループ管に浮力を付与するため、複数のディフューザ管で構成される長く重いグループ管を容易に水面まで揚げることが可能となり、この結果、ディフューザ管を１本ずつばらして陸揚げする場合に比べて、陸揚げに要する労力と時間を著しく軽減できる。
【０００９】
請求項２に記載の発明によれば、ディフューザ管に設けられたノズルを利用して気体を供給するため、気体を供給するための供給口をディフューザ管に別途設ける必要がない。この結果、容易かつ迅速に気体を供給することが可能となり、さらには、ディフューザの陸揚げをより容易かつ短時間に行うことが可能となる。
【発明を実施するための最良の形態】
【００１０】
以下、この発明を図示の実施の形態に基づいて説明する。
【００１１】
図１は、この発明の実施の形態に係る取水設備１を示す概略平面図であり、図２は、その正面図である。この取水設備１は、発電所において海から海水を取水して冷却水などに使用するための設備であり、発電設備（図示せず）側に取水槽２が設置され、この取水槽２から海に向って取水管３が配設されている。そして、この取水管３の先端に円筒状の取水口４が接続され、この取水口４で取水された海水が取水管３を介して取水槽２に導かれるようになっている。
【００１２】
このような取水設備１には、円滑な取水、発電を図るために海中の海洋生物を殺傷する塩素注入装置が配設されている。すなわち、取水槽２側から取水管３内を通って注入管５が配設され、取水口４の上端側に配設されたディフューザ６に注入管５が接続されている。そして、取水槽２側の塩素供給源から注入管５に塩素（次亜塩素酸ナトリウムなど）を供給し、ディフューザ６から海中に塩素を注入するものである。ここで、少なくとも取水管３と取水口４とディフューザ６は海中（水中）に設置された状態にある。
【００１３】
ディフューザ６は、図３、４に示すように、複数のディフューザ管６１の端部同士を接続して略円環状に形成されている。すなわち、各ディフューザ管６１は、図５に示すように、軸心が円弧状に湾曲し、その両端部にフランジ６１１が形成されている。このフランジ６１１を隣接するディフューザ管６１のフランジ６１１とボルトなどで接続することで、図３に示すような半円状の第１のディフューザ６Ａと第２のディフューザ６Ｂとが形成されている。そして、この２つのディフューザ６Ａ、６Ｂを円環状に配設することでディフューザ６が構成されている。
【００１４】
各ディフューザ管６１の外径、内径および曲率は同一に設定されているが、長さはいろいろな長さに設定されており、例えば、内径が７５ｍｍ程度で、長さが１〜５ｍ程度のディフューザ管６１が数十本でディフューザ６が構成されている。また、各ディフューザ管６１は、塩化ビニル管にＦＲＰ（繊維強化プラスチック）を被覆した管材で構成されている。
【００１５】
さらに、各ディフューザ管６１には、ひとつまたは複数のノズル６１２が取り付けられている。このノズル６１２は、図６に示すように、ディフューザ管６１の管壁を貫通し、先端が斜め下方に向くように配設され、ディフューザ管６１内の塩素がノズル６１２から斜め下方に噴出するようになっている。
【００１６】
次に、このような構成のディフューザ６の陸揚げ方法について説明する。ここで、ディフューザ６の陸揚げは、点検や清掃などのために定期的に（例えば、数年に一度）行われる。
【００１７】
まず、連続する（互いに接続されている）複数のディフューザ管６１をグループ管７とし、このグループ管７の端部を隣接するディフューザ管６１から切り離す。例えば、図７に示すように、ある連続する２つのディフューザ管６１をグループ管７とし、このグループ管７の端部のフランジ６１１と、隣接するディフューザ管６１のフランジ６１１との接続を解除する（ボルトを外す）。ここで、グループ管７内のディフューザ管６１同士の接続は解除しない（ボルトを外はない）。
【００１８】
次に、グループ管７の両端部を塞ぐ。例えば、板状の密閉蓋６１３をグループ管７の両端のフランジ６１１にボルトなどで取り付ける。続いて、グループ管７内に空気（気体）を供給してグループ管７に浮力を付与した状態で、グループ管７を海面（水面）Ｗまで揚げる。すなわち、図８、９に示すように、空気供給源としてのエアコンプレッサ８のエアホース８１の先端を、グループ管７内のディフューザ管６１のいずれかひとつのノズル６１２に接続する。その後、エアコンプレッサ８から空気を供給してグループ管７内に空気を満たし、グループ管７に浮力を付与した状態で、潜水夫Ｈがグループ管７を海面Ｗまで押し揚げる。そして、グループ管７を船９に荷揚げし、このような作業をすべてのディフューザ管６１（グループ管７）を荷揚げするまで繰り返す。その後、すべてのディフューザ管６１を船９で沖まで運び、陸揚げするものである。
【００１９】
以上のように、この陸揚げ方法によれば、複数のディフューザ管６１をグループ管７とし、このグループ管７に浮力を付与して海面Ｗまで揚げるため、容易かつ短時間にディフューザ６の陸揚げを行うことが可能となる。すなわち、グループ管７に浮力を付与するため、複数のディフューザ管６１で構成される長く重いグループ管７を、潜水夫Ｈに大きな負担を掛けることなく（少ない人工で）容易に海面Ｗまで押し揚げることが可能となる。このように複数のディフューザ管６１をまとめて容易に海面Ｗまで揚げることが可能なため、従来のようにディフューザ管６１を１本ずつばらして陸揚げする場合に比べて、陸揚げに要する労力と時間を著しく軽減できる。また、ディフューザ管６１に設けられたノズル６１２を利用して空気を供給するため、空気を供給するための供給口をディフューザ管６１（グループ管７）に別途設ける必要がない。このため、容易かつ迅速に空気を供給することが可能となり、さらには、ディフューザ６の陸揚げをより容易かつ短時間に行うことが可能となる。
【００２０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、連続する２つのディフューザ管６１をグループ管７としているが、ディフューザ管６１の長さや重量などに応じて、より多くのディフューザ管６１をグループ管７としてまとめて海面Ｗまで揚げるようにしてもよい。また、発電所の取水設備１におけるディフューザ６の陸揚げについて説明しているが、製鉄プラントや化学プラントなどにおけるディフューザに対しても適用できることは勿論である。
【図面の簡単な説明】
【００２１】
【図１】この発明の実施の形態に係る取水設備を示す概略平面図である。
【図２】図１の取水設備の概略正面図である。
【図３】図１の取水設備のディフューザの平面図である。
【図４】図３のＡ−Ａ断面図である。
【図５】図３のディフューザを構成するディフューザ管の平面図である。
【図６】図５のＢ−Ｂ断面図であり、ノズルを示す図である。
【図７】この発明の実施の形態に係るディフューザの陸揚げ方法において、グループ管の両端部を塞ぐ状態を示す図である。
【図８】この発明の実施の形態に係るディフューザの陸揚げ方法において、エアホースの先端をノズルに接続する状態を示す図である。
【図９】この発明の実施の形態に係るディフューザの陸揚げ方法において、グループ管に浮力を付与した状態でグループ管を海面まで押し揚げる状態を示す図である。
【符号の説明】
【００２２】
１        取水設備
２        取水槽
３        取水管
４        取水口
５        注入管
６        ディフューザ
６１      ディフューザ管
６１１    フランジ
６１２    ノズル
６１３    密閉蓋
７        グループ管
８        エアコンプレッサ
８１      エアホース
９        船
Ｗ        海面（水面）
Ｈ        潜水夫
【図１】
2010126895.tif 000003
【図２】
2010126895.tif 000004
【図３】
2010126895.tif 000005
【図４】
2010126895.tif 000006
【図５】
2010126895.tif 000007
【図６】
2010126895.tif 000008
【図７】
2010126895.tif 000009
【図８】
2010126895.tif 000010
【図９】
2010126895.tif 000011